(57)【要約】【課題】ユーザによる筐体の把持を即時判断し、把持の形態に応じた表示位置に表示物を表示することができる携帯端末を提供する。【解決手段】表示部を有し、筐体を構成する１対の対向する側壁のうち、一方の側壁近傍の筐体内に第１のアンテナが配され、他方の側壁近傍の筐体内に第２のアンテナが配された携帯端末であって、第１及び第２のアンテナそれぞれの反射係数を測定する反射係数測定部と、反射係数測定部により測定された反射係数がそれぞれ閾値以上であるか否かを判断する判断部と、判断部による判断結果に基づいて、表示部に表示する表示物の表示位置を切り替える表示処理部とを備える。【選択図】図４
2015162018.tif 000002
【特許請求の範囲】
【請求項１】
表示部を有し、筐体を構成する１対の対向する側壁のうち、一方の側壁近傍の筐体内に第１のアンテナが配され、他方の側壁近傍の筐体内に第２のアンテナが配された携帯端末であって、
前記第１及び第２のアンテナそれぞれの反射係数を測定する反射係数測定部と、
前記反射係数測定部により測定された反射係数がそれぞれ閾値以上であるか否かを判断する判断部と、
前記判断部による判断結果に基づいて、前記表示部に表示する表示物の表示位置を切り替える表示処理部とを備える
ことを特徴とする携帯端末。
【請求項２】
前記表示処理部は、前記表示位置を、前記判断部による判断結果から推定される前記筐体の把持の形態に応じて切り替える
ことを特徴とする請求項１記載の携帯端末。
【請求項３】
前記表示処理部は、前記表示物として、ユーザが情報を入力するためのソフトウェアキーボードを画面に表示する場合に、前記判断部により前記第１のアンテナの反射係数のみが閾値以上であると判断されたときには、前記ソフトウェアキーボードを前記一方の側壁側に寄せて表示し、前記判断部により前記第２のアンテナの反射係数のみが閾値以上であると判断されたときには、前記ソフトウェアキーボードを前記他方の側壁側に寄せて表示する
ことを特徴とする請求項１記載の携帯端末。
【請求項４】
前記反射係数測定部は、前記第１及び第２のアンテナそれぞれの反射係数を繰り返し測定し、
前記判断部は、前記反射係数計測部により反射係数が測定される毎に、測定された反射係数がそれぞれ閾値以上であるか否かを判断し、
前記表示制御部は、前記判断部による判断結果から推定される前記筐体の把持の形態が、前回の判断結果から推定された前記筐体の把持の形態と異なる場合に、前記表示部に表示する表示物の表示位置を、今回の判断結果から推定される筐体の把持の形態に応じて切り替える
ことを特徴とする請求項１記載の携帯端末。
【請求項５】
前記反射係数測定部は、前記第１及び第２のアンテナのそれぞれの反射係数を測定する場合に、前記第１及び第２のアンテナに対し、進行波として、前記第１及び第２のアンテナを用いて無線通信を行う場合に用いるときよりも小さい振幅の搬送波を出力する
ことを特徴とする請求項１記載の携帯端末。
【請求項６】
表示部を有し、筐体を構成する１対の対向する側壁のうち、一方の側壁近傍の筐体内に第１のアンテナが配され、他方の側壁近傍の筐体内に第２のアンテナが配された携帯端末が実行する表示方法であって、
前記第１及び第２のアンテナそれぞれの反射係数を測定する反射係数測定ステップと、
前記反射係数測定ステップにより測定された反射係数がそれぞれ閾値以上であるか否かを判断する判断ステップと、
前記判断ステップによる判断結果に基づいて、前記表示部に表示する表示物の表示位置を切り替える表示処理ステップとを含む
ことを特徴とする表示方法。
【請求項７】
コンピュータを、表示部を有し、筐体を構成する１対の対向する側壁のうち、一方の側壁近傍の筐体内に第１のアンテナが配され、他方の側壁近傍の筐体内に第２のアンテナが配された携帯端末として機能させるための表示プログラムであって、
前記コンピュータを、
前記第１及び第２のアンテナそれぞれの反射係数を測定する反射係数測定手段と、
前記反射係数測定部により測定された反射係数がそれぞれ閾値以上であるか否かを判断する判断手段と、
前記判断部による判断結果に基づいて、前記表示部に表示する表示物の表示位置を切り替える表示処理手段
として機能させることを特徴とする表示プログラム。
【発明の詳細な説明】
【技術分野】
【０００１】
本発明は、タッチパネルを備えた携帯端末に関する。
【背景技術】
【０００２】
いわゆるスマートフォンのように、タッチパネルを備えた携帯端末では、ユーザフレンドリの観点から、携帯端末のユーザによる持ち手に応じて、ソフトウェアキーボードをユーザが入力し易い位置に変更して表示することが行われている。持ち手を判断する技術として、特許文献１には、タッチパネルに対してユーザが入力するスライド操作の軌跡を検出し、その軌跡に基づいて持ち手を判断する技術が開示されている。
【先行技術文献】
【特許文献】
【０００３】
【特許文献１】特開２０１３−８０９９９号公報
【発明の概要】
【発明が解決しようとする課題】
【０００４】
しかしながら、持ち手の判断に特許文献１の技術を用いた場合、ユーザが携帯端末を把持してから、ユーザがタッチパネルに対して持ち手を特定できるような軌跡を描く入力を行うまでは、持ち手に応じた表示位置にソフトウェアキーボードを表示できないという問題がある。このため、例えばユーザにより携帯端末が右手から左手へと、また左手から右手へと持ち替えられた場合に、ソフトウェアキーボードを表示する位置を持ち手の変化に追随して変更することはできない。
【０００５】
本発明は、係る問題に鑑みてなされたものであり、ユーザにより筐体が把持された場合に持ち手（把持の形態）を即時判断し、持ち手に応じた位置に表示物を表示することができる携帯端末を提供することを目的とする。
【課題を解決するための手段】
【０００６】
上記課題を解決するために本発明に係る携帯端末は、表示部を有し、筐体を構成する１対の対向する側壁のうち、一方の側壁近傍の筐体内に第１のアンテナが配され、他方の側壁近傍の筐体内に第２のアンテナが配された携帯端末であって、前記第１及び第２のアンテナそれぞれの反射係数を測定する反射係数測定部と、前記反射係数測定部により測定された反射係数がそれぞれ閾値以上であるか否かを判断する判断部と、前記判断部による判断結果に基づいて、前記表示部に表示する表示物の表示位置を切り替える表示処理部とを備える。
【０００７】
ここで、判断部及び表示処理部は、一例として、プロセッサ及びメモリを含んで構成される制御部の一機能として実現される。
【発明の効果】
【０００８】
上述の構成により、本発明に係る携帯端末は、ユーザが側壁近傍を把持した場合に反射係数が変化することから、この反射係数を測定することでユーザによる筐体の把持の有無に応じた表示位置に表示物を表示することができる。
【図面の簡単な説明】
【０００９】
【図１】本発明の一実施の形態に係る携帯端末の一例を示す分解斜視図
【図２】図１に示される、凹部にアンテナが配された筐体の上面図
【図３】（ａ）携帯端末を背面からみた図であり、右手把持操作の場合のユーザによる筐体の把持位置と、アンテナの位置との関係の一例を示す図、（ｂ）携帯端末を背面からみた図であり、左手把持操作の場合のユーザによる筐体の把持位置と、アンテナの位置との関係の一例を示す図、（ｃ）携帯端末を背面からみた図であり、両手使用操作（一例として左手把持、右手操作）がされる際のユーザによる筐体の把持位置と、アンテナの位置との関係の一例を示す図
【図４】実施の形態に係る携帯端末の機能構成を示すブロック図
【図５】（ａ）右手把持操作に対応する、ソフトウェアキーボードが表示画面（表示画像）の右辺に寄せて表示される画像の一例を示す図、（ｂ）左手把持操作に対応する、ソフトウェアキーボードが表示画面の左辺に寄せて表示される画像の一例を示す図、（ｃ）両手使用操作に対応する、ソフトウェアキーボードが表示画面の左辺及び右辺のいずれにも寄せられずに表示される画像の一例を示す図
【図６】（ａ）右手把持操作による文字入力の一例を示す図、（ｂ）左手把持操作による文字入力の一例を示す図、（ｃ）両手使用操作（一例として左手把持、右手操作）による文字入力の一例を示す図
【図７】文字入力画像対応表の一例を示す図
【図８】反射係数の実測結果の一例を示す図
【図９】文字入力画像表示制御の手順の一例を示すフローチャート
【図１０】（ａ）本発明の一変形例に係る、着信があった場合に、ユーザにより筐体の把持がされてない場合の携帯端末の、表示部における表示の状態を模式的に示す図、（ｂ）本発明の一変形例に係る、ユーザにより筐体の把持がされている場合の携帯端末の、表示部における表示の状態を模式的に示す図
【図１１】変形例に係る着信時表示制御の手順の一例を示すフローチャート
【図１２】本発明の一変形例に係る、凹部にアンテナが配された筐体の上面図
【図１３】本発明の一変形例に係る、携帯端末の機能構成を示すブロック図
【図１４】本発明の一変形例に係る、凹部にアンテナが配された筐体の上面図
【発明を実施するための形態】
【００１０】
＜１．実施の形態＞
＜１．１．概要＞
以下、本発明の一実施の形態に係る携帯端末１について図面を参照しながら説明する。携帯端末１は、図１に示すように、タッチパネル１１が筐体１０の開口を閉塞する状態で固着されることにより形成される空間内に、バッテリ２２及び回路基板２３が嵌め込まれたフレーム２１を収容して成る。
【００１１】
タッチパネル１１は、液晶ディスプレイと、液晶ディスプレイの表示領域を覆うように貼付されたタッチパッドとから成る。フレーム２１は、樹脂を用いて形成されており、バッテリ２２及び回路基板２３を保持する機能を有する。バッテリ２２は、リチウムイオン電池で構成され、液晶ディスプレイ、タッチパネル、回路基板２３に配される回路素子など給電が必要な各部材、部品への給電を行う。回路基板２３は、樹脂を用いて形成された基板に金属配線パタンが形成されたプリント基板である。回路基板２３上には、プロセッサ、無線通信を行う通信モジュール等の集積回路、カメラ用の撮像素子、振動モータ、反射係数測定ＩＣ（Ｉｎｔｅｇｒａｔｅｄ  Ｃｉｒｃｕｉｔ）、メモリ、コンデンサ、コイルなどの電子部品群が配されている。
【００１２】
筐体１０は、プラスチック樹脂で形成され、図２に示すように、最大面積を有する平板部ＡＳＰ０の外周に沿って側壁（ＡＳＰ１〜ＡＳＰ４）が起立して成る。平板部ＡＳＰ０の筐体内部側の面上には、側壁ＡＳＰ３に沿ってアンテナ１３が形成され、側壁ＡＳＰ３に対向する側壁ＡＳＰ４に沿ってアンテナ１４が形成されている。ユーザは、携帯端末１（特に筐体１０）を把持してタッチパネル１１を操作するのであるが、この把持及び操作の形態（以下「把持操作形態」という。）には、右手把持操作、左手把持操作、及び両手使用操作の３種類がある。以下に、３種類の把持操作形態それぞれについて説明する。  ここで、携帯端末１をユーザがタッチパネル１１により構成されている面（以下「第１面」という。）側から見たときに、側壁ＡＳＰ１、ＡＳＰ２、ＡＳＰ３、及びＡＳＰ４がそれぞれ上側、下側、左側及び右側となるような姿勢（以下「基本姿勢」という。）で携帯端末１が使用されることを想定して、各形態について説明する。
【００１３】
（ａ）右手把持操作
右手把持操作は、ユーザが携帯端末１の把持と操作を右手で行う形態である。右手把持操作の場合、ユーザは、一例として図６（ａ）に示すように、携帯端末１のＡＳＰ４付近を右手で把持し、右手の親指でタッチパネル１１を操作する。右手把持操作がなされているときには、図３（ａ）に示すように、携帯端末１をＡＳＰ０により構成されている面（以下「第２面」という。）側から見るとアンテナ１４の少なくとも一部がユーザの右手によって覆われている。一方、アンテナ１３は覆われていない。
【００１４】
（ｂ）左手把持操作
左手把持操作は、ユーザが携帯端末１の把持と操作を左手で行う形態である。左手把持操作の場合、ユ―ザは、一例として図６（ｂ）に示すように、携帯端末１のＡＳＰ３付近を左手で把持し、左手の親指でタッチパネル１１を操作する。左手把持操作がなされているときには、図３（ｂ）に示すように、携帯端末１を第２面の側から見るとアンテナ１３の少なくとも一部がユーザの左手によって覆われている。一方、アンテナ１４は覆われていない。
【００１５】
（ｃ）両手使用操作
両手使用操作は、携帯端末１の把持と操作を両手で行う形態である。両手使用操作の場合、ユーザは、（ｉ）携帯端末１を一方の手（一例として左手）で、ＡＳＰ３付近及びＡＳＰ４付近の双方を把持し、他方の手（一例として右手）の人差し指でタッチパネル１１を操作するか、又は、（ｉｉ）携帯端末１のＡＳＰ４付近を右手で把持し、ＡＳＰ３付近を左手で把持し、少なくとも一方の手の親指でタッチパネル１１を操作する。両手使用操作がなされているときには、一例として図６（ｃ）に示すように、携帯端末１を第２面の側から見るとアンテナ１３の少なくとも一部、アンテナ１４の少なくとも一部の双方がユーザの手によって覆われる。
【００１６】
ここで、アンテナ（１３、１４）がユーザの手で覆われると、覆われたアンテナと人体とが容量的に結合するなどの理由により、覆われたアンテナの共振周波数にずれが生じて、覆われたアンテナの反射係数が増加する。ここで、反射係数は、アンテナに入力される進行波の大きさと、共振周波数がずれることでアンテナから反射される反射波の大きさとの比である。携帯端末１では、各アンテナの反射係数を測定し、その反射係数を用いてユーザによる筐体の持ち方を判断し、特定した持ち方に応じた処理を行うことでユーザの利便性向上を図っている。
＜１．２．構成＞
携帯端末１は、機能構成としては、図４に示すように、表示部１２、アンテナ１３、アンテナ１４、送受信部４０１、サーキュレータ４０２、反射係数測定部４０３、双方向性結合器４０４、送受信部４１１、サーキュレータ４１２、反射係数測定部４１３、双方向性結合器４１４、制御部４２１、入力部４３１、記憶部４３２、及び報知部４３３を含んで構成される。
【００１７】
表示部１２は、上述の液晶ディスプレイで実現され、画像等を表示領域に表示する機能を有する。また、表示部１２は、液晶ディスプレイのバックライトをオンする機能、オフする機能を有する。バックライトをオンにするかオフにするかは、制御部４２１により指示される。
入力部４３１は、上述のタッチパッドで実現され、静電容量の変化によってユーザによる接触操作を検知し、接触操作を表す検出信号を制御部４２１に出力する機能を有する。入力部４３１は、ユーザが、液晶ディスプレイに表示されたカーソルを移動させ、又はアイコン等の表示物を選択するなどの指示を入力するのに用いられる。
【００１８】
アンテナ１３は、所定の周波数帯（一例として８００ＭＨｚ帯）の電波を用いた無線通信を行うための平板状のアンテナである。アンテナ１３の電気長は、無線通信に用いる電波の１／４波長となっている。アンテナ１３は、携帯端末１がユーザによって右手把持操作又は両手使用操作がされた場合に、アンテナ１３の少なくとも一部がユーザの右手で覆われることで反射係数が変化する位置（図２参照）に配されている。
【００１９】
アンテナ１４は、所定の周波数帯（一例として２ＧＨｚ帯）の電波を用いた無線通信を行うための平板状のアンテナである。アンテナ１４の電気長は、無線通信に用いる電波の１／４波長となっている。アンテナ１４は、携帯端末１がユーザによって左手把持操作又は両手使用操作された場合に、アンテナ１４の少なくとも一部がユーザの左手で覆われることで反射係数が変化する位置（図２参照）に配されている。
【００２０】
送受信部４０１は、無線通信用のＬＳＩで実現されており、基地局やアクセスポイントなどの通信相手と、アンテナ１３を用いて無線通信する機能を有する。送受信部４０１は、周波数帯として８００ＭＨｚ帯を用いて無線通信を行う。送受信部４０１は、信号送信端子（ＴＸ１）と、信号受信端子（ＲＸ１）とを備える。送受信部４０１は、制御部４２１から送信データを含む送信指示を受け取った場合、受け取った送信データに基づき搬送波を変調することで送信信号を生成する。そして、送受信部４０１は、生成した送信信号をＴＸ１から出力する。また、送受信部４０１は、アンテナ１３により受信され、ＲＸ１に入力される受信信号を受け取った場合、受け取った受信信号を復調することで受信データを復元し、復元した受信データを制御部４２１に出力する。
【００２１】
また、送受信部４０１は、搬送波出力機能を有する。送受信部４０１は、搬送波出力機能に係る処理として、制御部４２１から反射係数計測開始指示を受信した場合に、反射係数を計測するための進行波として、８００ＭＨｚ帯の搬送波を所定の搬送波送出期間の間、ＴＸ１から出力する。反射係数計測停止指示を受信した場合、ＴＸ１からの搬送波の出力を停止する。搬送波送出期間は、反射係数測定部４０３により反射係数の計測が可能な長さであれば足りる。搬送波送出期間は、一例として、搬送波１０周期分の長さである。
また、搬送波出力機能を実行する際に用いる搬送波の電力は、反射係数測定部４０３により反射係数が計測できる程度であれば足り、基地局やアクセスポイントなどの通信相手と通信する場合に用いる搬送波の電力と比べて非常に小さい（例えば１／１０程度）ものでよい。反射係数の測定には、通信時よりも小さい電力しか必要としないので電力消費を抑制することができる。
【００２２】
また、送受信部４０１は、アンテナ１３が受信する受信信号のＲＳＳＩ（受信信号強度）を測定する機能を有する。
サーキュレータ４０２は、３つのポート（ＰＡ１、ＰＢ１、ＰＣ１）を有するサーキュレータ素子で実現されている。サーキュレータ４０２は、あるポートに入力される信号を、特定のポートにのみ通過させる。具体的には、サーキュレータ４０２は、ＰＡ１に入力された信号をＰＢ１のみに出力し、ＰＢ１に入力された信号をＰＣ１のみに出力し、ＰＣ１に入力された信号をＰＡ１のみに出力する。
【００２３】
ＰＡ１は、図４に示すように、双方向性結合器４０４のＯＰ１と接続される。ＰＢ１は、アンテナ１３と接続される。ＰＣ１は、送受信部４０１の受信信号入力端子（ＲＸ１）と接続される。サーキュレータ４０２は、原則、ＰＢ１からＰＡ１へ、ＰＣ１からＰＢ１へ、ＰＡ１からＰＣ１への信号はいずれも通過させないが、アンテナ１３で生じる反射波についてはＰＢ１、ＰＡ１を通って出力される。
【００２４】
反射係数を測定する場合に送受信部４０１のＴＸ１から出力される進行波は、双方向性結合器４０４を介してＰＡ１に入力される。ＰＡ１に入力された進行波は、ＰＢ１からアンテナ１３へと出力される。アンテナ１３に入力された進行波に対して反射波が生じた場合、その反射波に関してはＰＢ１、ＰＡ１を介して双方向性結合器４０４のＯＰ１に出力される。
【００２５】
反射係数測定部４０３は、反射係数を測定する機能を有する反射係数測定ＩＣで実現されている。反射係数測定部４０３は、進行波入力端子（ＩＮＦ１）と反射波入力端子（ＩＮＲ１）とを有する。ＩＮＦ１には、双方向性結合器４０４のＣＰ１から出力される進行波が入力される。また、ＩＮＲ１には、双方向性結合器４０４のＣＰ２から出力される、アンテナ１３からの反射波が入力される。ここで、双方向性結合器４０４のＣＰ１から出力される信号は、実際には、後述するように、進行波そのものではなく、進行波の一定割合（一例として、１００分の１）の大きさの信号である。また、双方向性結合器４０４のＣＰ２から出力される信号についても、反射波そのものではなく、反射波の一定割合（一例として、１００分の１）の大きさの信号である。しかしながら、本明細書では、便宜上、特にこれらを区別する必要がある場合を除き、反射係数測定部４０３に入力される、進行波の一定割合の大きさの信号についても「進行波」と表現し、反射係数測定部４０３に入力される、反射波の一定割合の大きさの信号についても「反射波」と表現する。
【００２６】
反射係数測定部４０３は、制御部４２１から反射係数測定指示を受け取ると、ＩＮＦ１から入力される進行波の電圧の実効値（Ｖｆ１）を所定の計測期間の間、計測する。また、ＩＮＲ１から入力される反射波の電圧の実効値（Ｖｒ１）を所定の期間、計測する。そして、反射係数測定部４０３は、Ｖｆ１及びＶｒ１を用いてアンテナ１３の反射係数ＲＥ１（＝Ｖｆ１／Ｖｒ１）を算出し、算出した反射係数ＲＥ１を制御部４２１に出力する。なお、反射係数測定部４０３は、送受信部４０１から送出された進行波がＩＮＦ１に入力されており、進行波に対する反射波がＩＮＲ１に入力されている期間内に反射係数を計測する。
【００２７】
双方向性結合器４０４は、４つのポート（ＩＰ１、ＯＰ１、ＣＰ１、ＣＰ２）を有する双方向性結合器である。双方向性結合器４０４は、ＩＰ１に入力される信号をＯＰ１から出力するとともに、一定の割合でＣＰ１からも出力する機能を有する。また、双方向性結合器４０４は、ＯＰ１に入力される信号を、ＩＰ１から出力するとともに一定の割合でＣＰ２からも出力する機能を有する。ここで一定の割合は、一例として１００分の１とする。ＩＰ１はＴＸ１に接続され、ＯＰ１はＰＡ１に接続され、ＣＰ１はＩＮＦ１に接続され、ＣＰ２はＩＮＲ１に接続されている。
【００２８】
送受信部４１１は、無線通信用のＬＳＩで実現されており、基地局やアクセスポイントなどの通信相手と、アンテナ１４を用いて無線通信する機能を有する。送受信部４１１は、周波数帯として２ＧＨｚ帯を用いて無線通信を行う。送受信部４１１は、信号送信端子（ＴＸ２）と信号受信端子（ＲＸ２）とを備える。送受信部４１１は、制御部４２１から送信データを含む送信指示を受け取った場合、受け取った送信データに基づき搬送波を変調することで送信信号を生成する。そして、送受信部４１１は、生成した送信信号をＴＸ２から出力する。また、送受信部４１１は、アンテナ１４により受信され、ＲＸ２に入力される受信信号を受け取った場合、受け取った受信信号を復調することで受信データを復元し、復元した受信データを制御部４２１に出力する。
【００２９】
また、送受信部４１１は、搬送波出力機能を有する。送受信部４１１は、搬送波出力機能に係る処理として、制御部４２１から反射係数計測開始指示を受信した場合に、反射係数を計測するための進行波として、２ＧＨｚ帯の搬送波を所定の搬送波送出期間の間、ＴＸ２から出力する。反射係数計測停止指示を受信した場合、ＴＸ２からの搬送波の出力を停止する。搬送波送出期間は、反射係数測定部４１３により反射係数の計測が可能な長さであれば足りる。搬送波送出期間は、一例として、搬送波１０周期分の長さである。また、搬送波出力機能を実行する際に用いる搬送波の電力は、反射係数測定部４１３により反射係数が計測できる程度であれば足り、基地局やアクセスポイントなどの通信相手と通信する場合に用いる搬送波の電力と比べて非常に小さいもの（例えば１／１０程度）でよい。反射係数の測定には、通信時よりも小さい電力しか必要としないので電力消費を抑制することができる。
【００３０】
また、送受信部４１１は、アンテナ１４が受信する受信信号のＲＳＳＩを測定する機能を有する。
サーキュレータ４１２は、３つのポート（ＰＡ２、ＰＢ２、ＰＣ２）を有するサーキュレータ素子で実現されている。サーキュレータ４１２は、あるポートに入力される信号を、特定のポートにのみ通過させる。具体的には、サーキュレータ４１２は、ＰＡ２に入力された信号をＰＢ２のみに出力し、ＰＢ２に入力された信号をＰＣ２のみに出力し、ＰＣ２に入力された信号をＰＡ２のみに出力する。
【００３１】
ＰＡ２は、図４に示すように、双方向性結合器４１４のＯＰ２と接続される。ＰＢ２は、アンテナ１４と接続される。ＰＣ２は、送受信部４１１の受信信号入力端子（ＲＸ２）と接続される。サーキュレータ４１２は、原則、ＰＢ２からＰＡ２へ、ＰＣ２からＰＢ２へ、ＰＡ２からＰＣ２への信号はいずれも通過させないが、アンテナ１４で生じる反射波についてはＰＢ２、ＰＡ２を通って出力される。
【００３２】
反射係数を測定する場合に送受信部４１１のＴＸ２から出力される進行波は、双方向性結合器４１４を介してＰＡ２に入力される。ＰＡ２に入力された進行波は、ＰＢ２からアンテナ１４へと出力される。アンテナ１４に入力された進行波に対して反射波が生じた場合、その反射波に関してはＰＢ２、ＰＡ２を介して双方向性結合器４１４のＯＰ１に出力される。
【００３３】
反射係数測定部４１３は、反射係数を測定する機能を有する反射係数測定ＩＣで実現されている。反射係数測定部４１３は、進行波入力端子（ＩＮＦ２）と反射波入力端子（ＩＮＲ２）とを有する。ＩＮＦ２には、双方向性結合器４１４のＣＰ３から出力される進行波が入力される。また、ＩＮＲ２には、双方向性結合器４１４のＣＰ４から出力される、アンテナ１４からの反射波が入力される。ここで、双方向性結合器４１４のＣＰ３から出力される信号は、実際には、後述するように、進行波そのものではなく、進行波の一定割合（一例として、１００分の１）の大きさの信号である。また、双方向性結合器４１４のＣＰ４から出力される信号についても、反射波そのものではなく、反射波の一定割合（一例として、１００分の１）の大きさの信号である。しかしながら、本明細書では、便宜上、特にこれらを区別する必要がある場合を除き、反射係数測定部４１３に入力される、進行波の一定割合の大きさの信号についても「進行波」と表現し、反射係数測定部４１３に入力される、反射波の一定割合の大きさの信号についても「反射波」と表現する。
【００３４】
反射係数測定部４１３は、制御部４２１から反射係数測定指示を受け取ると、ＩＮＦ２から入力される進行波の電圧の実効値（Ｖｆ２）を所定の計測期間の間、計測する。また、ＩＮＲ２から入力される反射波の電圧の実効値（Ｖｒ２）を所定の期間、計測する。そして、反射係数測定部４１３は、Ｖｆ２及びＶｒ２を用いてアンテナ１４の反射係数ＲＥ２（＝Ｖｆ２／Ｖｒ２）を算出し、算出した反射係数ＲＥ２を制御部４２１に出力する。なお、反射係数測定部４１３は、送受信部４１１から送出された進行波がＩＮＦ２に入力されており、進行波に対する反射波がＩＮＲ２に入力されている期間内に反射係数を計測する。
【００３５】
双方向性結合器４１４は、４つのポート（ＩＰ２、ＯＰ２、ＣＰ３、ＣＰ４）を有する双方向性結合器である。双方向性結合器４１４は、ＩＰ２に入力される信号を、ＯＰ２から出力するとともに一定の割合でＣＰ３からも出力する機能を有する。また、双方向性結合器４１４は、ＯＰ２に入力される信号を、ＩＰ２から出力するとともに一定の割合でＣＰ４からも出力する機能を有する。ここで一定の割合は、一例として１００分の１とする。ＩＰ２はＴＸ２に接続され、ＯＰ２はＰＡ２に接続され、ＣＰ３はＩＮＦ２に接続され、ＣＰ４はＩＮＲ２に接続されている。
【００３６】
記憶部４３２は、ＦｅＲＡＭ（Ｆｅｒｒｏｅｌｅｃｔｒｉｃ  Ｒａｎｄｏｍ  Ａｃｃｅｓｓ  Ｍｅｍｏｒｙ）などの不揮発性メモリで実現され、データを保持する機能を有する。記憶部４３２は、携帯端末１が動作するのに必要な情報を保持する。記憶部４３２は、一例として、アドレス帳情報、表示部１２に表示する画像を生成するためのデータ、及び文字入力画像対応表などを保持する。
【００３７】
アドレス帳情報は、電話番号と名前とを対応づけて記載している情報である。
画像を生成するためのデータは、ソフトウェアキーボード画像５０１（図５（ａ）〜（ｃ）参照）など、フレーム画像の一部を構成するオブジェクトを含む。
文字入力画像対応表は、図７に示すように、把持操作形態と、その把持操作形態に対応する、表示部１２に表示すべき文字入力画像との対応を示す表である。文字入力画像対応表において、把持操作形態は、変数ＬＨと変数ＲＨとの組（ＬＨ，ＲＨ）で表されている。変数ＬＨは、ユーザの左手で筐体１０が覆われているか否かを表している。変数ＬＨの値が１の場合、ユーザの左手で筐体１０が覆われていることを示す。変数ＬＨの値が０の場合、ユーザの左手で筐体１０が覆われていないことを示す。また、変数ＲＨは、ユーザの右手で筐体１０が覆われているか否かを表している。変数ＲＨの値が１の場合、ユーザの右手で筐体１０が覆われていることを示す。変数ＲＨの値が０の場合、ユーザの右手で筐体１０が覆われていないことを示す。
【００３８】
（ＬＨ，ＲＨ）が（０，１）である場合、右手把持操作を表す。（０，１）に対応付けられている文字入力画像は、図５（ａ）に示すＲ画像５１１である。Ｒ画像５１１は、右手把持操作の場合にユーザが右手の親指で文字入力をし易いように、文字入力をする際にタッチされるソフトウェアキーボード画像５０１を、Ｒ画像５１１の右手に近い辺（筐体１０におけるＡＳＰ４側に対応）に寄せたフレーム画像である。
【００３９】
（ＬＨ，ＲＨ）が（１，０）である場合、左手把持操作を表す。（１，０）に対応付けられている文字入力画像は、図５（ｂ）に示すＬ画像５１２である。Ｌ画像５１２は、左手把持操作の場合にユーザが左手の親指で文字入力をし易いように、ソフトウェアキーボード画像５０１をＬ画像５１２の左手に近い辺（筐体１０におけるＡＳＰ３側に対応）に寄せたフレーム画像である。
【００４０】
（ＬＨ，ＲＨ）が（１，１）である場合、両手使用操作を表す。（１，１）に対応付けられている文字入力画像は、図５（ｃ）に示すＢ画像５１３である。Ｂ画像５１３では、両手使用操作の場合にユーザが文字入力し易いように、ソフトウェアキーボード画像５０１をＢ画像の中央下部に配置したフレーム画像である。
（ＬＨ，ＲＨ）が（０，０）である場合、ユーザにより携帯端末１が把持されていない状態を表す。（０，０）には、デフォルトの文字入力画像としてのＢ画像５１３が対応付けられている。
【００４１】
報知部４３３は、振動モータで構成されており、制御部４２１から振動指示を受けた場合に振動するバイブレーション機能を有する。報知部４３３がバイブレーション機能を実行することで携帯端末１全体が振動する。バイブレーション機能は、ユーザに対し、着信が発生していることなどを報知するために用いられる。
タイマ部４３４は、リアルタイムクロックＩＣで構成され、時刻、時間を計測する機能を有する。
【００４２】
制御部４２１は、プロセッサ及びメモリを含んで構成されており、携帯端末１の全体動作を制御する機能を有する。ここで、制御部４２１の有する各機能は、メモリに記憶されているプログラムをプロセッサが実行することにより実現される。制御部４２１は、主要な機能として、反射係数取得機能、把持状態判断機能、及び表示処理機能を有する。以下、各機能について説明する。
（ａ）反射係数取得機能
反射係数取得機能は、アンテナ１３の反射係数ＲＥ１、及びアンテナ１４の反射係数ＲＥ２を取得する機能である。制御部４２１は、ＲＥ１及びＲＥ２を取得するために、送受信部４０１、送受信部４１１、反射係数測定部４０３、及び反射係数測定部４１３を制御する（図９のステップＳ９０３、及びステップＳ９０４）。
（ｂ）把持状態判断機能
把持状態判断機能は、ＲＥ１及びＲＥ２に基づき、ユーザにより筐体が把持されているか否かの判断、把持されている場合には把持操作形態を判断する機能である（図９のステップＳ９０２、ステップＳ９０４〜ステップＳ９０６、ステップＳ９０８〜ステップＳ９１５）。
（ｃ）表示処理機能
表示処理機能は、把持状態判断機能により判断された結果に応じて、文字入力画像等の画像を生成し、表示部１２に表示させる機能である（図９のステップＳ９１３〜Ｓ９１５）。
＜１．３．制御部４２１が用いる閾値についての検討＞
図８は、携帯端末１について、筐体が把持されている（アンテナが人体に覆われている）ときと、筐体が把持されていないときの、アンテナの反射係数を実測した結果を示す。
【００４３】
アンテナが用いる電波の周波数が８００ＭＨｚの場合、筐体が把持されていないときの反射係数は０．２６である。筐体が把持されると反射係数は、０．７４に上昇する。閾値ＴＨ１は、把持有り時の反射係数と、把持無し時の反射係数の中間値である０．５を用いている。
アンテナが用いる電波の周波数が２ＧＨｚの場合、筐体が把持されていないときの反射係数は０．０７である。筐体が把持されると反射係数は、０．４２に上昇する。閾値ＴＨ２としては、把持有り時の反射係数と、把持無し時の反射係数の中間値である０．２５を用いている。以上のように、アンテナの反射係数は、アンテナが使用する周波数帯毎に異なるので、閾値についても周波数帯ごとに異なる値を用いることとしている。
＜１．４．動作＞
以上のように構成された携帯端末１が実行する文字入力画像表示処理について説明する。
【００４４】
まず、ステップＳ９０１において、ユーザは、入力部４３１を用いて、文字入力画像の表示指示を入力する。文字入力画像の表示指示は、例えば、表示部１２に表示されている、文字入力の開始を指示するアイコンをユーザがタッチすることで行う。入力部４３１は、文字入力の開始を指示するアイコンがタッチされたことを検出すると、検出信号として、文字入力画像表示指示を制御部４２１に出力する。制御部４２１は、文字入力画像表示指示を取得する。
【００４５】
ステップＳ９０２において、制御部４２１は、変数ＬＨ、ＲＨを値０で初期化する。変数ＬＨは、値が１の場合に、ユーザの手によりＡＳＰ３の少なくとも一部が覆われるよう把持されていることを示し、値が０の場合には、ユーザによりＡＳＰ３付近が把持されていないことを示す。また変数ＲＨは、値が１の場合に、ユーザの手によりＡＳＰ４の少なくとも一部が覆われるよう把持されていることを示し、値が０の場合には、ユーザによりＡＳＰ４付近が把持されていないことを示す。
【００４６】
ステップＳ９０３において、制御部４２１は、送受信部４０１、反射係数測定部４０３、送受信部４１１、及び反射係数測定部４１３に対し、反射係数計測開始指示を送信する。
送受信部４０１は、反射係数計測開始指示を受け取ると、搬送波出力機能により、ＴＸ１から搬送波を進行波として出力する。進行波は、双方向性結合器４０４のＩＰ１、ＯＰ１を通ってサーキュレータ４０２のＰＡ１に入力されて、ＰＢ１からアンテナ１３へと出力される。また、進行波は、双方向性結合器４０４のＩＰ１、ＣＰ１を通って反射係数測定部４０３のＩＮＦ１に入力される。アンテナ１３において、その進行波に対する反射波が発生した場合、反射波は、ＰＢ１、ＰＡ１を介して双方向性結合器４０４のＯＰ１に出力される。ＰＡ１から出力された反射波は、双方向性結合器４０４のＯＰ１、ＣＰ２を通って反射係数測定部４０３のＩＮＲ１に入力される。反射係数測定部４０３は、ＩＮＦ１から入力される進行波の電圧の実効値（Ｖｆ１）を計測する。また、反射係数測定部４０３は、ＩＮＲ１から入力される反射波の電圧の実効値（Ｖｒ１）を計測する。そして、反射係数測定部４０３は、Ｖｆ１及びＶｒ１を用いてアンテナ１３の反射係数ＲＥ１を算出し、算出した反射係数ＲＥ１を制御部４２１に出力する。
【００４７】
ステップＳ９０４において、制御部４２１は、反射係数測定部４０３が出力した反射係数ＲＥ１を受け取る。制御部４２１は、受け取った反射係数ＲＥ１が、第１閾値（ＴＨ１）以上であるか否かを判定する。制御部４２１は、反射係数ＲＥ１がＴＨ１以上であると判断した場合（ステップＳ９０４でＹＥＳ）、変数ｌｈに１を代入する（ステップＳ９０５）。また、制御部４２１は、反射係数ＲＥ１がＴＨ１未満であると判断した場合（ステップＳ９０４でＮＯ）、変数ｌｈに０を代入する（ステップＳ９０６）。
【００４８】
ステップＳ９０７において、送受信部４１１は、反射係数計測開始指示を受け取ると、搬送波出力機能により、ＴＸ２から搬送波を進行波として出力する。進行波は、双方向性結合器４１４のＩＰ２、ＯＰ２を通ってサーキュレータ４１２のＰＡ２に入力されて、ＰＢ２からアンテナ１４へと出力される。また、進行波は、双方向性結合器４１４のＩＰ２、ＣＰ３を通って反射係数測定部４１３のＩＮＦ２に入力される。アンテナ１４において、その進行波に対する反射波が発生した場合、反射波は、ＰＢ２、ＰＡ２を介して双方向性結合器４１４のＯＰ２に出力される。ＰＡ２から出力された反射波は、双方向性結合器４１４のＯＰ２、ＣＰ４を通って反射係数測定部４１３のＩＮＲ２に入力される。反射係数測定部４１３は、ＩＮＦ２から入力される進行波の電圧の実効値（Ｖｆ２）を計測する。また、反射係数測定部４１３は、ＩＮＲ２から入力される反射波の電圧の実効値（Ｖｒ２）を計測する。そして、反射係数測定部４１３は、Ｖｆ２及びＶｒ２を用いてアンテナ１３の反射係数ＲＥ２を算出し、算出した反射係数ＲＥ２を制御部４２１に出力する。
【００４９】
ステップＳ９０８において、制御部４２１は、反射係数測定部４１３が出力した反射係数ＲＥ２を受け取る。制御部４２１は、受け取った反射係数ＲＥ２が、第２閾値（ＴＨ２）以上であるか否かを判定する。制御部４２１は、反射係数ＲＥ２がＴＨ２以上であると判断した場合（ステップＳ９０８でＹＥＳ）、変数ｒｈに１を代入する（ステップＳ９０９）。また、制御部４２１は、反射係数ＲＥ２がＴＨ２未満であると判断した場合（ステップＳ９０８でＮＯ）、変数ｒｈに０を代入する（ステップＳ９１０）。
【００５０】
ここで、図９のステップＳ９０３からステップＳ９１０は、反射係数測定部４０３がＲＥ１を測定し、その後、反射係数測定部４１３がＲＥ２を測定するというようにシーケンシャルな処理のように記載されている。しかしながら、ＲＥ１の測定と、ＲＥ２の測定とは並行して実行可能であり、並行して実行するものとしてもよい。
ステップＳ９１１において、制御部４２１は、ＬＨとｌｈが一致し、かつＲＨとｒｈが一致しているか否か判断する。一致している場合（ステップＳ９１１でＹＥＳ）、ステップＳ９１４に進み、一致していない場合（ステップＳ９１１でＮＯ）、ステップＳ９１２に進む。
【００５１】
ステップＳ９１２において、制御部４２１は、変数ＬＨに、変数ｌｈの値を代入し、変数ＲＨに、変数ｒｈの値を代入する。
ステップＳ９１３において、制御部４２１は、記憶部４３２に記憶されている文字入力画像対応表を参照する。そして、制御部４２１は、文字入力画像対応表において、（ＬＨ，ＲＨ）に対応づけられている文字入力画像を、記憶部４３２に記憶されているソフトウェアキーボード画像５０１などのオブジェクトを用いて生成する。そして、制御部４２１は、生成した文字入力画像を表す信号を表示部１２に出力する。表示部１２は、文字入力画像を表す信号を受け取り、表示領域に文字入力画像を表示する。
【００５２】
ステップＳ９１４において、制御部４２１は、文字入力画像の表示停止指示がされたか否かを判断する。文字入力画像の表示停止指示は、例えば、表示部１２に表示される、文字入力の停止を指示するアイコン（不図示）をユーザがタッチすることなどに行われる。制御部４２１は、入力部４３１から、文字入力画像の表示停止指示を示す検出信号を受け取ったか否かによって、文字入力画像表示停止指示がされたか否かを判断する。
【００５３】
ステップＳ９１５において、制御部４２１は、文字入力画像表示停止指示を受けとると、表示部に対し、文字入力画像の表示停止指示を送信する。表示部１２は、表示領域に表示している文字入力画像の表示を停止する。また、制御部４２１は、送受信部４０１、及び送受信部４１１に対し、搬送波出力機能の実行の停止を指示する。送受信部４０１、及び送受信部４１１は、搬送波出力機能の実行を停止する。また、制御部４２１は、反射係数測定部４０３、及び反射係数測定部４１３に対し、反射係数測定の停止指示を出力する。反射係数測定部４０３、及び反射係数測定部４１３は、反射係数測定の停止指示を受け取ると、反射係数の測定を中止する。
【００５４】
以上説明したように、携帯端末１は、把持操作形態の判断を、携帯端末１内（送受信部４０１、４１１）で生成する搬送波を進行波とした反射係数を測定することにより行う。よって、携帯端末１は、アンテナ１３及び１４が電波を受信できない場所においても、把持操作形態の判断を行うことができる。また、携帯端末１は、ユーザが文字入力を行う場合に、ユーザによるタッチパネル１１への入力がなされなくても、把持操作形態の判断を行い、把持操作形態に応じて、ソフトウェアキーボードをユーザが入力をし易い位置に即時表示することができる。
【００５５】
＜２．変形例＞
以上、本発明に係る携帯端末の実施の形態を説明したが、例示した携帯端末を以下のように変形することも可能であり、本発明が上述の実施の形態で示した通りの携帯端末に限られないことは勿論である。
（１）上述の実施の形態では、反射係数を測定するために、反射係数測定部４０３及び反射係数測定部４１３の２個の構成要素を用いていたが、全アンテナの反射係数を測定できれば足りる。例えば、１個の反射係数測定部で、複数のアンテナの反射係数を測定することとしてもよい。この場合、一例として、１個の反射係数測定部の進行波入力端子に、各アンテナに与える進行波が入力されるよう接続し、その反射波係数測定部の反射波入力端子に、各アンテナに生じる反射波が入力されるよう接続する。そして、送受信部４０１と送受信部４１１とが、所定時間長のタイムスライス毎に交互に、搬送波出力機能を実行して進行波を出力する。あるタイムスライスにおいては、反射波係数測定部の進行波入力端子に送受信部４０１がアンテナ１３に出力した進行波が入力されるとともに、進行波入力端子にアンテナ１３からの反射波が入力される。このタイムスライスでは、反射波係数測定部は、ＲＥ１を測定することとなる。次のタイムスライスにおいては、反射波係数測定部の進行波入力端子に送受信部４１１がアンテナ１３に出力した進行波が入力されるとともに、進行波入力端子にアンテナ１４からの反射波が入力される。このタイムスライスでは、反射波係数測定部は、ＲＥ２を測定することとなる。
【００５６】
（２）上記実施の形態では、アンテナ１３の反射係数、及びアンテナ１４の反射係数を、把持操作形態を判断するのに用いていた。しかしながら、本願発明は、把持操作形態までは判断せず、単に、筐体がユーザにより把持されているか否かの判断に適用することとしてもよい。
以下に、筐体がユーザにより把持されているか否かに応じて、表示に係る処理を変更する携帯端末１ａの一例について説明する。携帯端末１ａの機能構成は、制御部４２１による制御内容が異なることを除き、図４に示した携帯端末１の機能構成と同じである。よって、携帯端末１ａの機能構成の図示は省略する。
【００５７】
本変形例の携帯端末１ａは、着信があった場合にユーザが携帯端末１ａの筐体１０を把持していないときには、図１０（ａ）に示すように、バイブレーションによる報知は行うが、表示部１２のバックライトはオフにし省電力化を図る。一方、ユーザが筐体１０を把持しているときには、図１０（ｂ）に示すように、バイブレーションによる報知を行い、かつ、表示部１２のバックライトをオンにして、ユーザに対し着信に係る情報（着信がある旨、発信元の名前）を含む着信画像１００２を提示する。
【００５８】
以下、携帯端末１ａによる、反射係数を用いてユーザによる筐体の把持の有無を判断する処理を含んだ着信時表示制御処理の一例について、図１１を用いて説明する。
ステップＳ１１０１において、送受信部４０１がアンテナ１３を介して、又は送受信部４１１がアンテナ１４を介して、基地局からの着信呼び出し信号を受信する。送受信部４０１又は送受信部４１１は、着信呼び出し信号を受信すると表示報知開始トリガを制御部４２１に送信する。表示報知開始トリガには、着信呼び出し信号に含まれる、携帯端末１ａとの通信を要求した相手先端末の電話番号が含まれる。制御部４２１は、表示報知開始トリガを取得する。
【００５９】
ステップＳ１１０２において、制御部４２１は、変数ＤＩＳＰに値２を代入する。ここで、変数ＤＩＳＰは、値が２の場合、筐体が把持されているか否かの判断が行われていないことを示す。値が１の場合、筐体が把持されていることを示し、値が０の場合に筐体が把持されていないことを示す。
ステップＳ１１０３において、制御部４２１は、変数ｉに値１を代入する。
【００６０】
ステップＳ１１０４において、制御部４２１は、反射係数ＲＥｉ（ｉが１の場合はＲＥ１、ｉが２の場合はＲＥ２である）を取得する。ここで、ｉ＝１の場合、ステップＳ１１０４で行う処理は、ＲＥ１を取得する図９のステップＳ９０３と同じ処理となる。また、ｉ＝２の場合、ステップＳ１１０４で行う処理は、ＲＥ２を取得する図９のステップＳ９０７と同じ処理となる。
【００６１】
ステップＳ１１０５において、制御部４２１は、反射係数ＲＥｉが、閾値ＴＨｉ（ｉが１の場合はＴＨ１、ｉが２の場合はＴＨ２である）以上であるか否かを判定する。反射係数ＲＥｉがＴＨｉ以上であると判断した場合（ステップＳ１１０５でＹＥＳ）、制御部４２１は、変数ｄｉｓｐに１を代入し（ステップＳ１１０９）、ステップＳ１１１０に進む。ここで、変数ｄｉｓｐは、値が１の場合、筐体が把持されていることを示し、値が０の場合、筐体が把持されていないことを示す。
【００６２】
反射係数ＲＥｉがＴＨｉ未満であると判断した場合（ステップＳ１１０５でＮＯ）、制御部４２１は、変数ｉの値を１増加させる（ステップＳ１１０６）。そして、変数ｉがアンテナ数（本変形例では２）より大きいか否か判断する（ステップＳ１１０９）。ｉがアンテナ数以下である場合（ステップＳ１１０７でＮＯ）、ステップＳ１１０４に進む。ｉがアンテナ数より大きい場合（ステップＳ１１０７でＹＥＳ）、制御部４２１は、変数ｄｉｓｐに０を代入し（ステップＳ１１０８）、ステップＳ１１１０に進む。
【００６３】
ステップＳ１１１０において、制御部４２１は、変数ＤＩＳＰと変数ｄｉｓｐの値が一致するか否か判断する。一致すると判断した場合（ステップＳ１１１０でＹＥＳ）、ステップＳ１１１６に進み、一致しないと判断した場合（ステップＳ１１１０でＮＯ）、ステップＳ１１１１に進む。
ステップＳ１１１１において、制御部４２１は、変数ＤＩＳＰに変数ｄｉｓｐの値を代入する。
【００６４】
ステップＳ１１１２において、制御部４２１は、ＤＩＳＰの値が１であるか否か判断する。ＤＩＳＰが１である場合（ステップＳ１１１２でＹＥＳ）、ステップＳ１１１３に進み、ＤＩＳＰが０である場合（ステップＳ１１１２でＮＯ）、ステップＳ１１１５に進む。
ステップＳ１１１３において、制御部４２１は、バックライトをオンにするよう表示部１２に指示する。表示部１２は、指示を受け付けるとバックライトをオンにする。
【００６５】
ステップＳ１１１４において、制御部４２１は、表示報知開始トリガに含まれる電話番号に対応する名前をアドレス帳から読み出す。そして、「着信」「読み出した名前」を表記したパネル１００１を含む着信画像１００２を生成し、着信画像１００２を表す信号を表示部１２に出力する。表示部１２は、着信画像１００２を表す信号を受信し、受信した信号に基づき着信画像１００２を表示する。
【００６６】
ステップＳ１１１５において、制御部４２１は、バックライトをオフにするよう表示部１２に指示する。表示部１２は、指示を受け付けるとバックライトをオフにする。
ステップＳ１１１６において、制御部４２１は、表示報知を停止するか否か判断する。制御部４２１は、（ａ）ユーザが入力部４３１を用いて、着信に応答するための指示（一例として、表示部１２に表示されるオフフック用のアイコン（不図示）にユーザが接触）を入力したことを検知するか、又は、（ｂ）表示報知開始トリガの取得から所定の報知時間が経過した場合に、表示報知を停止すると判断する。
【００６７】
制御部４２１が表示報知を停止しないと判断した場合（ステップＳ１１１６でＮＯ）、ステップＳ１１０３に進む。
制御部４２１が表示報知を停止すると判断した場合（ステップＳ１１１６でＹＥＳ）、ステップＳ１１１７に進む。
ステップＳ１１１７において、制御部４２１は、着信画像１００２の表示を停止するよう表示部１２に指示する。表示部１２は、着信画像１００２の表示を停止する。
【００６８】
以上の制御により、携帯端末１は、着信があった場合に、ユーザにより筐体１０が把持されているときには着信画像１００２を表示し、筐体１０が把持されていないときにはバックライトがオフになる。
以上のように、本変形例に係る携帯端末によれば、筐体がユーザにより把持されているか否かを、アンテナの反射係数を計測するという簡易な構成で実現することができる。
【００６９】
（３）上述の実施の形態及び各変形例では、図２に示す形状のアンテナを一例として用いていたが、筐体内に配されたアンテナの反射係数の変化により、ユーザにより筐体が把持されたことを検出できれば、アンテナの大きさ、長さ、形状等は問わない。例えば、図１２に示すように、アンテナ１３及び１４が、ＡＳＰ０の外周に沿って略矩形環状の形状を構成するよう、アンテナ１３及び１４を配してもよい。このようにすると、ユーザが筐体１０の側壁ＡＳＰ１〜４のいずれを覆うような把持の仕方をした場合にも、把持したことを検知できる。
【００７０】
（４）上述の実施の形態及び変形例では、２個のアンテナの反射係数を用いて、ユーザによる筐体１０の把持を検出していたが、１個、又は３個以上のアンテナの反射係数を用いることとしてもよい。
以下では、一例として、ユーザによる筐体１０の把持の有無を、４個のアンテナを用いて検知する携帯端末１ｂを例に説明する。
【００７１】
携帯端末１ｂでは、各アンテナは、図１２に示すように、ＡＮＴ１〜ＡＮＴ４が、ＡＳＰ０上に、ＡＳＰ０の外周に沿って略矩形環状となるよう配されている。
携帯端末１ｂは、図１３に示すように、機能構成として、図４の携帯端末１が有する構成に加え、アンテナ１３００、送受信部１３０１、サーキュレータ１３０２、反射係数測定部１３０３、双方向性結合器１３０４、アンテナ１３１０、送受信部１３１１、サーキュレータ１３１２、反射係数測定部１３１３、及び、双方向性結合器１３１４を備えている点が異なる。
【００７２】
アンテナ１３００、送受信部１３０１、サーキュレータ１３０２、反射係数測定部１３０３、及び双方向性結合器１３０４のそれぞれが有する機能は、アンテナ１３、送受信部４０１、サーキュレータ４０２、反射係数測定部４０３、及び双方向性結合器４０４が備える機能と同様である。
アンテナ１３００の反射係数ＲＥ３は、以下のように測定可能である。すなわち、送受信部１３０１が、搬送波出力機能を実行することにより搬送波を進行波として出力すると、その進行波は、双方向性結合器１３０４を介して反射係数測定部１３０３の進行波入力端子に、また双方向性結合器１３０４及びサーキュレータ１３０２を介してアンテナ１３００に入力される。アンテナ１３００にて反射波が生じた場合、その反射波は、サーキュレータ１３０２及び双方向性結合器１３０４を介して反射係数測定部１３０３の反射波入力端子に入力される。
【００７３】
反射係数測定部１３０３は、進行波入力端子に入力される進行波の電圧の実効値（Ｖｆ３）を計測し、反射波入力端子に入力される反射波の電圧の実効値（Ｖｒ３）を計測する。そして、Ｖｆ３及びＶｒ３を用いてアンテナ１３００の反射係数ＲＥ３（＝Ｖｆ３／Ｖｒ３）を算出し、算出した反射係数ＲＥ３を制御部４２１に出力する。
制御部４２１は、ＲＥ３を受け取った場合、ＲＥ３が所定の閾値ＴＨ３以上であるか否かを判断する。ＲＥ３がＴＨ３以上である場合に、ユーザによって、アンテナ１３００が覆われるように筐体１０が把持されていると推定する。
【００７４】
また、アンテナ１３１０の反射係数ＲＥ４についても、以下のように測定可能である。すなわち、送受信部１３１１が、搬送波出力機能を実行することにより搬送波を進行波として出力すると、その進行波は、双方向性結合器１３１４を介して反射係数測定部１３１３の進行波入力端子に、また双方向性結合器１３１４及びサーキュレータ１３１２を介してアンテナ１３１０に入力される。アンテナ１３１０にて反射波が生じた場合、その反射波は、サーキュレータ１３１２及び双方向性結合器１３１４を介して反射係数測定部１３１３の反射波入力端子に入力される。
【００７５】
反射係数測定部１３１３は、進行波入力端子に入力される進行波の電圧の実効値（Ｖｆ４）を計測し、反射波入力端子に入力される反射波の電圧の実効値（Ｖｒ４）を計測する。そして、Ｖｆ４及びＶｒ４を用いてアンテナ１３１０の反射係数ＲＥ４（＝Ｖｆ４／Ｖｒ４）を算出し、算出した反射係数ＲＥ４を制御部４２１に出力する。
制御部４２１は、ＲＥ４を受け取った場合、ＲＥ４が所定の閾値ＴＨ４以上であるか否かを判断する。ＲＥ４がＴＨ４以上である場合に、ユーザによって、アンテナ１３１０が覆われるように筐体１０が把持されていると推定する。
【００７６】
ここで、アンテナ１３、１４、１３００、１３１０のそれぞれについて測定した反射係数ＲＥ１〜ＲＥ４を用いる場合にも、上述の図１１に示すフローチャートに示す手順によりユーザが筐体１０を把持したか否か検知することができる。この場合、図１１のステップＳ１１０９の「アンテナの数」は４となる。図１１のフローチャートの説明は、既に行っているので省略する。
【００７７】
アンテナ１３００、アンテナ１３１０が使用する周波数については、特に説明していないが、アンテナ１３又はアンテナ１４と同じ周波数帯であってもよいし、異なっていてもよい。また、上述のＴＨ３、ＴＨ４は、使用する周波数帯に応じた所定の値を用いればよい。
（５）上述の実施の形態では、報知部４３３は、振動によってユーザに報知を行うこととしていたが、ユーザに報知できれば足りる。例えば、報知部４３３を、音声処理ＬＳＩで構成し、着信音を発生するなどしてユーザに対する報知を行ってもよい。
【００７８】
（６）上述の実施の形態では、タッチパッドは、静電容量の変化によってユーザによる接触操作を検知する静電容量方式によるものとしたが、ユーザによるタッチ操作が検出できる方式によるものであれば足りる。例えば、タッチパッドは、抵抗膜方式、表面弾性波方式などによりタッチ操作を検知するものであってもよい。
（７）上述の実施の形態及び各変形例で示した携帯端末１は、一例として、いわゆるスマートフォン、タブレット端末装置、携帯電話機、タブレット型のパーソナルコンピュータなどの情報端末である。また、筐体１０は、プラスチック樹脂を用いて形成されるとしたが、マグネシウム合金などの軽量材料を用いて構成することとしてもよい。また、表示部１２は、液晶ディスプレイで構成されるとしたが、画像等を表示する機能を有するデバイスであれば足り、例えば、有機ＥＬディスプレイで構成することとしてもよい。また、フレーム２１は、樹脂を用いて形成されるとしたが、バッテリ２２及び回路基板２３などの部材の保持が可能な素材で形成されれば足り、例えば、アルミニウムなどの金属で形成されることとしてもよい。
【００７９】
また、携帯端末１は、通常のスマートフォン等が有するスピーカ、レシーバ、マイクロフォン、カメラ、及びＧＰＳなどの構成要素についても具備しているものとする。また、携帯端末１は、通常の情報端末が有する電話機能、データ通信機能、カメラ撮影機能、ＧＰＳを用いた現在位置取得機能、及び近距離無線通信機能などを備えるものとする。
（８）上述の実施の形態及び変形例では、アンテナ１３及びアンテナ１４は、一例として８００ＭＨｚ帯、２ＧＨｚ帯の電波を用いた無線通信に用いられるとしたが、他の周波数帯の電波を用いた通信に用いることとしてもよい。各アンテナが用いる周波数帯は、すべて異なっていてもよいし、２個以上のアンテナが同じ周波数帯を用いることとしてもよい。
【００８０】
（９）上述の実施の形態及び各変形例では、携帯端末１は、ＡＳＰ１がユーザから見て上側になるような姿勢で用いられることを前提としていたが、これに限らない。例えば、携帯端末１に構成として、携帯端末１の地面に対する向きを検出できる加速度センサ等を追加し、加速度センサ等で検知した姿勢を前提とした把持操作形態の検出を行うこととしてもよい。例えば、上述の図１２に示すようにアンテナが配置されている場合に、加速度センサで、ＡＳＰ３がユーザから見て上側になっていることを検出したときには、アンテナ１４及びアンテナ１３００の反射係数を測定し、アンテナ１４の反射係数のみが閾値以上の場合に左手把持操作と判断し、アンテナ１３００の反射係数のみが閾値以上の場合に右手把持操作と判断することとしてよい。
【００８１】
（１０）上述の実施の形態及び各変形例で示した各機能構成要素は、その機能を実行する回路として実現されてもよいし、１又は複数のプロセッサによりプログラムを実行することで実現されてもよい。
（１１）上述の実施の形態及び各変形例を、部分的に組み合せてもよい。
【産業上の利用可能性】
【００８２】
本発明の一形態に係る携帯端末は、タッチパネルを用いて文字等の情報入力を行う携帯電話機、スマートフォンなどの端末等として好適である。
【符号の説明】
【００８３】
１    携帯端末
１０    筐体
１１    タッチパネル
１２    表示部
１３、１４    アンテナ
２１    フレーム
２２    バッテリ
２３    回路基板
４０１、４１１、１３０１、１３１１    送受信部
４０２、４１２、１３０２、１３１２    サーキュレータ
４０３、４１３、１３０３、１３１３    反射係数測定部
４０４、４１４、１３０４、１３１４    双方向性結合器
４２１    制御部
４３１    入力部
４３２    記憶部
４３３    報知部
４３４    タイマ部
５０１    ソフトウェアキーボード画像
５１１    Ｒ画像
５１２    Ｌ画像
５１３    Ｂ画像
【図１】
2015162018.tif 000003
【図２】
2015162018.tif 000004
【図３】
2015162018.tif 000005
【図４】
2015162018.tif 000006
【図５】
2015162018.tif 000007
【図６】
2015162018.tif 000008
【図７】
2015162018.tif 000009
【図８】
2015162018.tif 000010
【図９】
2015162018.tif 000011
【図１０】
2015162018.tif 000012
【図１１】
2015162018.tif 000013
【図１２】
2015162018.tif 000014
【図１３】
2015162018.tif 000015
【図１４】
2015162018.tif 000016